(57)【特許請求の範囲】
【請求項１】
遊技領域に特定入賞口と普通入賞口を設け、前記特定入賞口への入賞球を特定検出器で検出すると共に特定球カウンタに加算し、
前記特定入賞口への入賞球と普通入賞口への入賞球を集合路に集合させて、それらの入賞球を入賞球検出器で検出すると、入賞球を入賞球排出装置で排出するとともに前記特定球カウンタに記憶がある場合には第１の特典を付与し、且つ、特定球カウンタから１を減算し、前記特定球カウンタに記憶がない場合には第２の特典を付与する遊技機であって、
前記普通入賞口の専用通路に隣接して、特定検出器を装着可能な装着孔を形成の試験用検出器付設部を設け、
特定検出器と試験用検出器は、遊技球を検出する位置を異にし、
前記特定検出器を試験用検出器付設部に装着しても、この特定検出器では前記普通入賞口への入賞球の検出ができないことを特徴とする遊技機。
【請求項２】
特定検出器は遊技球が該検出器の通過孔を通過することにより検出する形式であり、一方、試験用検出器は、遊技球が該検出器の表面を通過することにより検出する形式であることを特徴とする請求項１の遊技機。
【発明の詳細な説明】
【０００１】
【発明の属する技術分野】
本発明は、入賞口の種類等に応じて異なる特典を与える遊技機であり、この遊技機のテスト時において、各入賞口への入賞球数の検出を可能とする検出器の設置に関する。
【０００２】
【従来の技術】
従来、入賞口の種類に応じて特典（賞品球の払出し個数等）を異にする遊技機（パチンコ機）があり、この形式の遊技機を、正面を示す図７と遊技盤３ａと機構板４Ａの裏面の一部を示す図８（Ａ）を参照して概略説明する。
遊技盤３ａの裏面側には、後述する各入賞口に入賞した入賞球を検出する検出器と、入賞球を集合する集合板２が取り付けてあると共に、機構板４Ａには集合路４が形成してある。
一方、遊技機の表面側における遊技領域３のほぼ中央には、液晶で製作の特別図柄表示部Ｌ１、Ｌ２、Ｌ３を有する図柄表示器Ｌが取り付けてあり、その下部には図柄始動口（普通入賞口）５が設けてある。この始動口５に遊技球が入賞すると、専用通路５Ａを流下して、始動口検出器５ａで検出され、特別図柄表示部Ｌ１、Ｌ２、Ｌ３の図柄が変動を開始し、大当たりと判定されると、予め設定の図柄（同じ図柄等）を表示して、大入賞口（特定入賞口）６を開成する。
【０００３】
この大入賞口６が開成中に入賞した遊技球は、集合板に形成の専用通路６Ａを流下して大入賞検出器（特定検出器）６ａで検出され、その信号に基づいて、制御装置に付設のメモリ（ＲＡＭ）に形成の「特定球カウンタ」で計数された後、遊技盤の裏面側に形成の集合路４上を転動する。
又、大入賞口６が開成中に、遊技球が特定領域を通過して特定領域検出器７ａで検出されると、前記大入賞口６は閉成後、開成し、この開成を最大１６回行って、大当たりの処理を終了する。
【０００４】
又、遊技領域３には、前記図柄始動口５の左右には右普通入賞口（特定入賞口）８と左普通入賞口（普通入賞口）９が配置してある。そして、右普通入賞口８への入賞球は、右普通検出器（特定検出器）８ａで検出されると、前記「特定球カウンタ」で計数された後、専用通路８Ａを流下して機構板に形成の集合路４上を転動するが、左普通入賞口へ９の入賞球は、直接、専用通路９Ａを介して集合路４に流下する。
又、大入賞口６の左右には、普通入賞口１０ａ、１０ｂが配置してあり、それらの入賞球は、集合板に形成の専用通路１０Ａ、１０Ｂを流下して、集合路４を転動する。
【０００５】
尚、前記各検出器５ａ、６ａ、７ａ、８ａは、図８（Ｂ）（平面と正面図）に示すように、遊技球が通過孔１３を通過する時の磁界変化を検出する近接スイッチであり、その検出部１４は通過孔１３の近辺に埋設してある。また、各検出器５ａ、６ａ、７ａ、８ａの通過孔１３は、前記専用通路５Ａ、６Ａ、７Ａ、８Ａに臨設してある。
【０００６】
そして、前記集合路４を転動する全ての入賞球は入賞球検出器１１ａで検出され、入賞球検出器１１ａにより入賞球を検出したときには、その入賞球を入賞球排出装置１１で１球ずつ排出すると共に、特定球カウンタ（制御装置に付設のソフトで構成等）が入賞球の記録があるか否かを判定し、記録がない場合には入賞球は普通入賞口からだけのものであり、記録があるときには特定入賞口からのものを含んでいると判断する。
そこで、記録がある場合には、特定球カウンタの値から１を減算すると共に、第１の特典（例えば、１５個の賞品球数）を払い出す一方、記録がない場合には普通入賞口への入賞であり第２の特典（７個の賞品球数）を賞品球払出装置（図示略）を介して払出す。
【０００７】
【発明が解決しようとする課題】
前記形式の遊技機は、特定入賞口６、８と普通入賞口５、９、１０ａ、１０ｂへの入賞球を、特定検出器６ａ、８ａ、特定球カウンタ及び入賞球検出器１１ａで構成して処理でき、特定入賞口６、８に入賞した入賞球数は特定検出器６ａ、８ａを介して判るが、各普通入賞口５、９、１０ａ、１０ｂの入賞球数は個別には判らない。
しかし、この種の遊技機を設計する場合や販売許可を得るために検査機関でテストをする際において、打球した遊技球に対して、各入賞口毎に入賞個数を知ることが必要である。
そこで、設計用や検査用として、各入賞口の入賞球を検出するために、専用通路を加工して、各入賞口に対する検出器を設置している。
このように、販売する遊技機と異なるものを作成することは不経済であるため、簡便で且つ経済性に富む遊技機が望まれている。
【０００８】
【課題を解決するための手段】
請求項１の遊技機は、遊技領域に特定入賞口と普通入賞口を設け、前記特定入賞口への入賞球を特定検出器で検出すると共に特定球カウンタに加算し、
前記特定入賞口への入賞球と普通入賞口への入賞球を集合路に集合させて、それらの入賞球を入賞球検出器で検出すると、入賞球を入賞球排出装置で排出するとともに前記特定球カウンタに記憶がある場合には第１の特典を付与し、且つ、特定球カウンタから１を減算し、前記特定球カウンタに記憶がない場合には第２の特典を付与するものである。
そして、この遊技機は、普通入賞口の専用通路に隣接して、特定検出器を装着可能な装着孔を形成の試験用検出器付設部が設けてあり、特定検出器と試験用検出器は遊技球を検出する位置を異にする。
従って、前記特定検出器を試験用検出器付設部に装着しても、この特定検出器では前記普通入賞口への入賞球の検出ができないので、第１の特典を得る不正行為を防止できる。
又、請求項２の遊技機は、遊技球が該検出器の通過孔を通過することにより検出する形式であり、一方、試験用検出器は、遊技球が該検出器の表面を通過することにより検出する形式である。
【００１０】
【発明の実施の形態】
（第１の実施の形態）
図１は遊技機（パチンコ機）の正面図、図２は遊技機（前面枠１００を除く）の裏面図、図３は遊技盤３ａと機構板４Ａの一部を示す裏面図、図４は集合板２の拡大図、図５は試験用検出器付設部の説明図である。
尚、本実施の形態に使用する遊技機は、従来とほぼ同じであるため、同じ部品には同じ符号を附す。
【００１１】
遊技機（パチンコ機）は、良く知られているように、裏面側に入賞球を集合させる集合板２を設置の遊技盤３を前面枠１００に着脱自在に取付け、更に、前面枠の裏面側には賞品球払出装置等を付設の機構板を開閉自在に設置して形成してある。
機構板４Ａには、入賞球の集合路４が形成してあると共に、その集合路４を転動する入賞球は入賞球検出器１１ａで検出される。そして、その入賞球検出器１１ａが入賞球が検出したときには、その入賞球は入賞球排出装置１１で１球ずつ排出されると共に、後記で詳述する特定球カウンタを介して、第１の特典と第２の特典を区別して、賞品球タンク１０１の賞品球を賞品球払出装置１０２で、供給皿１０３に払出す。
【００１２】
一方、遊技盤の表側の遊技領域３のほぼ中央には、液晶で製作の特別図柄表示部Ｌ１、Ｌ２、Ｌ３を有する図柄表示器Ｌが取り付けてあり、その下部には図柄始動口（普通入賞口）５が設けてある。この始動口５に遊技球が入賞すると、専用通路５Ａを流下して、始動口検出器５ａで検出されて、特別図柄表示部Ｌ１、Ｌ２、Ｌ３の図柄が変動を開始し、大当たりと判定されると、予め設定の図柄（同じ図柄等）を表示して、大入賞口（特定入賞口）６を開成する。
【００１３】
この大入賞口６が開成中に入賞した遊技球は、専用通路６Ａを流下して大入賞検出器（特定検出器）６ａで検出され、その信号に基づいて、制御装置に付設のメモり（ＲＡＭ）に形成の「特定球カウンタ」で計数された後、遊技盤の裏面側に形成の集合路４上を転動する。尚、大入賞検出器６ａで検出される遊技球数が１０となると大入賞口６は閉成する。
又、大入賞口６が開成中に、遊技球が特定領域７Ａを通過して特定領域検出器７ａで検出されると、前記大入賞口６は閉成後、開成し、この開成を最大１６回行って、大当たりの処理を終了する。
【００１４】
又、遊技領域３には、前記図柄始動口５の左右には右普通入賞口（特定入賞口）８と左普通入賞口（普通入賞口）９が配置してある。
そして、右普通入賞口８への入賞球は、右普通検出器（特定検出器）８ａで検出されると、前記「特定球カウンタ」で計数された後、専用通路８Ａを流下して集合板２に形成の集合路４上を転動する。
尚、前記始動口検出器５ａ、大入賞検出器（特定検出器）６ａ及び右普通検出器（特定検出器）８ａは、図８（Ｂ）に示すように、従来の近接スイッチであり、遊技球が通過孔１３を通過すると検出部１４で検出する。
【００１５】
一方、左普通入賞口９への入賞球は、図５（Ａ）に示す、専用通路９Ａに形成の試験用検出器付設部２０（２０Ａ）に装着の試験用検出器２５Ａを介して検出された後に、集合路４に流下する。
この試験用検出器付設部２０Ａの本体２０ａには、各専用通路を流下する遊技球を通過可能な貫通孔２１が穿設してあり、この貫通孔２１は、遊技球が流下するに従って、最も試験用検出器２５Ａに近付くように、Ｙ字状のしりすぼみ形状に約１２ｍｍに形成してある。即ち、できるだけ遊技球の直径（１１ｍｍ）となるのが好ましいが、詰まりを考慮して１２ｍｍに選定してある。
【００１６】
又、本体２０ａには前記貫通孔２１に隣接して、試験用検出器２５Ａを装脱着可能な装着孔２２が固定凸部２２ａと共に形成してあり、この試験用検出器２５Ａは特定検出器８ａ、６ａと異なり、箱型で大きさを異にする（小型）ものである。即ち、試験用検出器付設部２０Ａは、特定検出器６ａ、８ａが装着できないように構成してある。
尚、前記試験用検出器２５Ａの検出部２５ａは、貫通孔２１に最も近い部位に埋設してあり、遊技球Ｙの通過による磁界変化で検出する（図５（Ｂ））。
【００１７】
この試験用検出器付設部２０Ａに装着する試験用検出器２５Ａは、普通入賞口に対するものであり、特定入賞口に入賞したときに比べて、後記で詳述するように、遊技者に与える特典を異にする。
そこで、試験用検出器付設部２０Ａに、特定検出器６ａ、８ａが装着可能に形成しておくと、特定検出器を試験用検出器付設部２０に装着するという不正を行うことによって、本来なら、普通入賞口への特典（第２の特典）であるが、特定入賞口への入賞特典（第１の特典）を獲得できることとなる。
従って、試験用検出器付設部２０Ａは特定検出器６ａ、８ａが装着できないように形成して、不正行為の防止を図る。
【００１８】
又、大入賞口６の左右には、普通入賞口１０ａ、１０ｂが配置してあり、それらの入賞球は、専用通路１０Ａ、１０Ｂを流下して集合路４に到るが、その途中に、試験用検出器付設部２０Ｂ、２０Ｃが設けてある。これらの試験用検出器付設部２０Ｂ、２０Ｃは、前記試験用検出器付設部２０Ａと同じ形状であるので説明を略す。
【００１９】
次に、各入賞口の入賞球を計数する場合について説明すると、特定入賞口である、大入賞口６と右普通入賞口８には、従来と同じ近接スイッチ（図８（Ｂ））である、大入賞検出器（特定検出器）６ａと右普通検出器（特定検出器）８ａを設置する。又、普通入賞口である図柄始動口（普通入賞口）５においても、従来の貫通式の始動口検出器５ａを設置する。
一方、普通入賞口である左普通入賞口９、普通入賞口１０ａ、１０ｂに対する入賞球を検出するために、試験用検出器付設部２０Ａ、２０Ｂ、２０Ｃに試験用検出器２５Ａ、２５Ｂ、２５Ｃを設置した後に、各試験用検出器２５Ａ、２５Ｂ、２５Ｃの信号を試験用計数器（図示略）に接続する。
【００２０】
以上の準備をした後に、遊技球を遊技領域に打球すると、大入賞口６と右普通入賞口８に入賞の入賞球数は、大入賞検出器（特定検出器）６ａと右普通検出器（特定検出器）８ａを介して計数できるし、普通入賞口への入賞球数は試験用検出器２５Ａ、２５Ｂ、２５Ｃを介して試験用計数器で計数できる。
【００２１】
以上のように、設計時等において入賞球を計数する必要な、例えば、前記普通入賞口９、１０ａ、１０ｂに対して、集合板２に予め、試験用検出器２５Ａ、２５Ｂ、２５Ｃを装脱着可能な試験用検出器付設部２０Ａ、２０Ｂ、２０Ｃを設けておくことによって、簡便に対処できる。
また、この試験用検出器付設部２０Ａ〜２０Ｃは、集合板２を製作するときに一体で成形すると、手間がかからず経済性に富むと共に、販売する遊技機の集合板として使用できる。即ち、販売する遊技機の集合板２には、試験用検出器２５Ａ、２５Ｂ、２５Ｃを装着しない状態で出荷すればよいからである。
そして、製品として出荷しても、特定検出器６ａ、８ａは試験用検出器付設部２０Ａ〜２０Ｃに装着できない大きさであるため不正行為の防止となる。
【００２２】
尚、この遊技機おける特定入賞口と普通入賞口への入賞球に対する取扱は、従来と同じであり、前記集合路４を転動する入賞球は入賞球検出器１１ａで検出され、入賞球検出器１１ａが入賞球が検出したときは、その入賞球を入賞球排出装置１１で１球ずつ排出すると共に、特定球カウンタが入賞球の記録があるか否かを判定し、記録がない場合には入賞球は普通入賞口からのであり、記録があるときには特定入賞口からのである。
そこで、記録がある場合には、特定球カウンタの値から１を減算すると共に、第１の特典（例えば、１５個の賞品球数）を払い出す一方、記録がない場合には普通入賞口への入賞であり第２の特典（７個の賞品球数）を賞品球払出装置１０２を介して供給皿１０３に払出す。
【００２３】
（第２の実施の形態）
本実施の形態は、図６に示すように、箱型の試験用検出器２６Ａ、２６Ｂ、２６Ｃを用いるものであり、試験用検出器２６Ａ、２６Ｂ、２６Ｃの検出部２６ａは表面に近い位置に埋設してあり、遊技球Ｙが表面を転動することによって検知する。尚、この試験用検出器２６Ａ、２６Ｂ、２６Ｃの大きさは、従来の検出器５ａ〜８ａ（図８（Ｂ））と同じである。
【００２４】
この試験用検出器２６Ａ、２６Ｂ、２６Ｃは、各専用通路９Ａ、１０Ａ、１０Ｂにおける傾斜部に、従来の図柄始動検出器５ａを装着すると同様に設けられた試験用検出器付設部２７Ａ、２７Ｂ、２７Ｃに装着するものである。
そして、前記第１の実施の形態と同様に、設計時等において、試験用検出器２６Ａ、２６Ｂ、２６Ｃを装着することによって、試験用検出器２６Ａ、２６Ｂ、２６Ｃの上を転動する入賞球数を計数できる。
【００２５】
尚、試験用検出器２６Ａ、２６Ｂ、２６Ｃは、従来の特定検出器６ａ、８ａと同じ大きさであるので、特定検出器６ａ、８ａを試験用検出器付設部２７Ａ、２７Ｂ、２７Ｃに装着できるが、検出部２６ａの位置を異にするため、遊技球を検出できないので不正防止を図ることができる。
【００２６】
以上のように、設計時や検査時に必要な各入賞口に入賞する入賞球数を計数するために、予め集合板２等に試験用検出器付設部２０Ａ〜２０Ｃ、２７Ａ〜２７Ｃを設けておくことによって、簡便に対処できると共に、かかる集合板２は販売する遊技機においても使用できるので経済性に富む。
又、試験用検出器付設部２０Ａ〜２０Ｃ、２７Ａ〜２７Ｃには、特定検出器と大きさを異にしたり、検出方式を異なる検出器を採用することによって不正行為の防止を図ることができる。
【００２７】
尚、集合板２に試験用検出器付設部２０Ａ、２０Ｂ、２０Ｃを設けるには、一体成形で形成する他、はめ込み方式で形成してもよい。又、遊技機の形式として、賞品球の排出を行う前記の方式に限定されず、所定数の遊技球を封入し、それらの遊技球が循環して賞品球の払出しを行われることなく、打球数の減算と特典の加算を行う、所謂、封入式の遊技機等においても有効な手段である。
【００２８】
【発明の効果】
本願発明の遊技機は、試験用検出器付設部に特定検出器を装着しても、検出位置を異にするので、普通入賞口への入賞球の検出ができないので、第１の特典を得る不正行為を防止できる。
【図面の簡単な説明】
【図１】パチンコ機の遊技盤の正面図である。
【図２】パチンコ機の遊技盤と機構板の裏面を示す図である。
【図３】パチンコ機の遊技盤と一部の機構板の裏面を示す図である。
【図４】集合板の平面を示す図である。
【図５】集合板に形成の試験用検出器付設部を示す図である。
【図６】第２の実施の形態における集合板の平面を示す図である。
【図７】従来のパチンコ機の正面図である。
【図８】従来のパチンコ機の遊技盤と一部の機構板の裏面を示す図である。
【符号の説明】
４  集合路
５  始動口（普通入賞口）
５Ａ  専用通路
５ａ  始動口検出器（普通検出器）
６  大入賞口（特定入賞口）
６ａ  大入賞検出器（特定検出器）
８  右普通入賞口（特定入賞口）
８ａ  右普通検出器（特定検出器）
９Ａ  専用通路
１０Ａ、１０Ｂ  専用通路
２０Ａ、２０Ｂ、２０Ｃ、２７Ａ、２７Ｂ、２７Ｃ  試験用検出器付設部
２５Ａ、２５Ｂ、２５Ｃ、２６Ａ、２６Ｂ、２６Ｃ  試験用検出器
【図１】
0004058492.tif 000002
【図２】
0004058492.tif 000003
【図３】
0004058492.tif 000004
【図４】
0004058492.tif 000005
【図５】
0004058492.tif 000006
【図６】
0004058492.tif 000007
【図７】
0004058492.tif 000008
【図８】
0004058492.tif 000009